(57)【特許請求の範囲】
【請求項１】
仕切り板に軸支された回転式除湿材と、
前記回転式除湿材を通過した再生用空気を冷却し結露させる凝縮器とを備え、
被除湿空気が前記凝縮器を冷却してから前記回転式除湿材を通過するように、被除湿空気を吸引する除湿用送風機を設けて、前記回転式除湿材を前記凝縮器と前記除湿用送風機との間に配置したことを特徴とする除湿機。
【請求項２】
前記除湿用送風機により吸引され前記回転式除湿材の通過で暖められた被除湿空気を用いて、前記回転式除湿材を前記凝縮器側に通過させる再生用空気を加熱するようにして熱回収する熱交換器を設けたことを特徴とする請求項１に記載の除湿機。
【請求項３】
仕切り板に軸支された回転式除湿材と、
ケースの内部にヒーターを収納して該ヒーターで加熱した再生用空気を前記回転式除湿材に送風するための再生用空気加熱部と、
該再生用空気加熱部から送風され前記回転式除湿材を通過した再生用空気を冷却し結露させる凝縮器とを備え、
前記回転式除湿材を前記再生用空気加熱部と前記凝縮器との間に配置したことを特徴とする除湿機。
【請求項４】
前記再生用空気加熱部のケース内に再生用空気を送り込むための開口部を前記ケースの送風面に対して側方に形成すると共に、前記開口部へ再生用空気を送り込むための再生用送風機を前記ケースの送風面に対して側方に配置して前記開口部に連結し、前記ケース内で前記開口部と前記ヒーター収納部との間に空間を設けて、加熱量の異なる再生用空気を前記ケースの送風面から前記回転式除湿材に送風するように構成したことを特徴とする請求項３に記載の除湿機。
【請求項５】
被除湿空気が前記凝縮器を冷却してから前記回転式除湿材を通過するように被除湿空気を吸引する除湿用送風機を設けると共に、該除湿用送風機により吸引され前記回転式除湿材の通過で暖められた被除湿空気を用いて前記再生用空気加熱部に送り込む再生用空気を加熱するようにして熱回収する熱交換器を設けたことを特徴とする請求項３または４に記載の除湿機。
【請求項６】
前記除湿用送風機のモーターを固定する送風機固定用板を前記仕切り板に固定し、前記送風機固定用板と当該除湿機の本体ケースを構成する板部材とで前記除湿用送風機のファンケーシングを構成したことを特徴とする請求項１、２または５に記載の除湿機。
【発明の詳細な説明】
【０００１】
【発明の属する技術分野】
本発明は、回転式除湿材を備えた除湿機構造に関するものである。
【０００２】
【従来の技術】
従来の回転式除湿材を備えた回転式空気除加湿システムについて図１２を用いてを説明する。湿度交換器（以下除湿ローターという）３を不図示の駆動モーター等で回転させる。この除湿ローター３の吸湿部３１に湿った被除湿空気３２を吹き込み水分を吸湿剤に吸着させて除湿し乾燥された空気３３とし、他方除湿ローター３の水分を吸着した吸湿剤に再生ヒーター３４で加熱され高温となった再生空気３５を送り込み、吸湿剤を加熱して水分を取り出して吸湿剤を再生し、暖かく湿った再生空気３６をとりだすことができる。
【０００３】
吸湿剤に水分を吸着させる除湿部３１と、水分を吸着した吸湿剤を加熱して水分を吐き出させ、再生する再生部３７とは、回転している除湿ローター３に湿った被除湿空気３２と再生ヒーター３４で加熱され高温となった再生空気３５を吹き込む位置がその再生部になるだけで、特に除湿ローター３に仕切りがあるわけではなく、除湿ローター３は繰り返し連続的に使用できる。また除湿としても、逆に加湿としても利用できる。
【０００４】
このような回転式除湿材（除湿ローター３）を備えた除湿機は、圧縮機を備えた冷凍サイクル方式の除湿機に比べて、振動がなく、音が静かで、製品形状が小さく、重量も軽い、かつ低湿度にても除湿能力がある等の特徴を有し、コンパクトな製品となし得て、壁掛け等にも使用できる利点がある。
【０００５】
【発明が解決しようとする課題】
本発明は、製品形状が小さく、重量も軽い、回転式除湿材を備えた除湿機の特徴を活かし、さらに除湿効率のよくコンパクトで頑丈な製品構造を提供しようとするものである。
【０００６】
【課題を解決するための手段】
本発明の除湿機は上記課題を解決するために、仕切り板に軸支された回転式除湿材と、前記回転式除湿材を通過した再生用空気を冷却し結露させる凝縮器ととを備え、被除湿空気が前記凝縮器を冷却してから前記回転式除湿材を通過するように、被除湿空気を吸引する除湿用送風機を設けて、前記回転式除湿材を前記凝縮器と前記除湿用送風機との間に配置したもので、吸湿した回転式除湿材に再生用空気を吹きかけ、回転式除湿材から水分を取り出して回転式除湿材を再生させ、回転式除湿材から水分を奪った湿った空気を凝縮器にて冷却して結露させるものである。
【０００７】
また、前記除湿用送風機により吸引され前記回転式除湿材の通過で暖められた被除湿空気を用いて、前記回転式除湿材を前記凝縮器側に通過させる再生用空気を加熱するようにして熱回収する熱交換器を設けたものである。
【０００８】
また、本発明の除湿機は、仕切り板に軸支された回転式除湿材と、ケースの内部にヒーターを収納して該ヒーターで加熱した再生用空気を前記回転式除湿材に送風するための再生用空気加熱部と、該再生用空気加熱部から送風され前記回転式除湿材を通過した再生用空気を冷却し結露させる凝縮器とを備え、前記回転式除湿材を前記再生用空気加熱部と前記凝縮器との間に配置したものである。
【０００９】
また、前記再生用空気加熱部のケース内に再生用空気を送り込むための開口部を前記ケースの送風面に対して側方に形成すると共に、前記開口部へ再生用空気を送り込むための再生用送風機を前記ケースの送風面に対して側方に配置して前記開口部に連結し、前記ケース内で前記開口部と前記ヒーター収納部との間に空間を設けて、加熱量の異なる再生用空気を前記ケースの送風面から前記回転式除湿材に送風するように構成したものである。
【００１０】
また、被除湿空気が前記凝縮器を冷却してから前記回転式除湿材を通過するように被除湿空気を吸引する前記除湿用送風機を設けると共に、該除湿用送風機により吸引され前記回転式除湿材の通過で暖められた被除湿空気を用いて前記再生用空気加熱部に送り込む再生用空気を加熱するようにして熱回収する熱交換器を設けたものである。
【００１１】
また、前記除湿用送風機のモーターを固定する送風機固定用板を前記仕切り板に固定し、前記送風機固定用板と当該除湿機の本体ケースを構成する板部材とで前記除湿用送風機のファンケーシングを構成したものである。
【００１２】
本発明によれば、仕切り板に回転式除湿材を軸支して、製品構造の基本とし、この仕切り板の前方、後方にそれぞれ機能部品を配置して、コンパクトであり、且つ、回転式除湿材を通過した再生用空気を冷却し結露させる凝縮器を備えた構成としたもので、除湿効率の高い除湿機を提供できる。
すなわち、凝縮器を備えた除湿効率の高い除湿機で、被除湿空気が凝縮器を冷却してから回転式除湿材を通過するように、被除湿空気を吸引する除湿用送風機を設けて、回転式除湿材を凝縮器と除湿用送風機との間に配置することにより、コンパクトな構成とすることができる。
また、凝縮器を備えた除湿効率の高い除湿機で、回転式除湿材を再生用空気加熱部と凝縮器との間に配置することにより、コンパクトな構成とすることができる。
【００１３】
また、再生用空気加熱部のケース側面に開口部を設け、そのケースの側方に開口部へ再生用空気を送り込むための再生用送風機を配置して開口部に連結し、ケース内で開口部とヒーター収納部との間に空間を設けたので、加熱量の異なる再生用空気を回転式除湿材に送風するようにしても、コンパクトな構成とすることができる。
【００１４】
また、被除湿空気が凝縮器を冷却してから回転式除湿材を通過するように被除湿空気を吸引する除湿用送風機を設けると共に、除湿用送風機により吸引され回転式除湿材の通過で暖められた被除湿空気を用いて回転式除湿材を凝縮器側に通過させる再生用空気を加熱するようにして熱回収する熱交換器を設けたので、再生用空気を加熱する再生用ヒーターの電力を削減できる。
【００１５】
また、除湿用送風機のモーターを固定する送風機固定用板を仕切り板に固定し、送風機固定用板と当該除湿機の本体ケースを構成する板部材とで除湿用送風機のファンケーシングを構成したので、コンパクトな構成とすることができ、ファンケーシングに吸い込む空気で、モーターを冷却する効果もある。
【００１８】
【発明の実施の形態】
以下、本発明に係る除湿ローターの実施の形態について、以下説明する。なお、従来の技術欄にて記載したものと、同じもの又は同等の機能のものについては、特に記載したものを除き、同じ符号を使用して説明する。
【００１９】
図１は本発明実施の形態に係る除湿機の全体構成説明図である。除湿ローター３のエレメントはダンボール紙などの帯状のシート状基材にゼオライト（吸湿剤）を溶かした溶剤を含浸して担持させた帯状平面シートの表面に、同じく基材にゼオライト等の吸湿剤を含浸担持させた帯状平面シートからなる高さ１ｍｍ〜１.５ｍｍ程度に波付け加工した波形シートを接着して一体化した片波成形体を巻回し、ローターにしたものであり、ハニカムローターと称され、ゼオライト（吸湿剤）を基材の表面は勿論その内部にまで担持させている。ゼオライトには潮解現象がなく、結晶質で安定した細孔構造を持ち、水分吸着に対して劣化が少なく、長期間安定した吸湿作用を有する。
【００２０】
被除湿空気３２は除湿ファン１５に吸引され、フィルター７で粗いゴミを取り去り、凝縮器４を通過し、後述のように、暖かく湿った凝縮器４内部の再生空気３６を冷却し、再生空気中の水分を結露させる。凝縮器４を通過した被除湿空気３２は除湿ローター３を通過し、吸湿剤に吸湿させ、乾燥空気３３となり、熱回収熱交換器５にて熱回収後、室内に放出される。
【００２１】
吸湿した除湿ローター３の吸湿剤を再生させるため、電気ヒーターである再生ヒーター３４にて再生空気を２００℃〜２５０℃に加熱した後、除湿ローター３に再生ファン８により送風する。加熱された再生空気３５は除湿ローター３の吸湿剤から水分を受け取り、暖かく湿った空気３６となり、凝縮器４にて冷却され、水分を結露させて排出する。結露水９は水受タンク１０に導かれる。水受タンク１０には水位を検知するフロートスイッチを備え、所定の水位を検知すると、備えられている揚水ポンプ１１を運転し、揚水チューブ２８を経て貯水タンク１２に結露水９を蓄える。
【００２２】
図示していないが、貯水タンク１２が設置される底には、水位をその重量にて検知する重量スイッチを備え、満水を検知すると、機器の運転を止め、貯水タンク満水の表示をする。重量スイッチはバネとマイクロスイッチで構成され、貯水タンク１２の重量が所定値より重たくなると、バネに抗してマイクロスイッチを押すものである。
【００２３】
除湿ローター３は駆動モーター１８で回転されており、被除湿空気３２が通過する除湿部３１と熱風３５が通過する再生部３７は少しづつ回転移動しており、吸湿してもまた再生され、連続的に使用可能である。
【００２４】
除湿ローター３に熱風３５が通過し少しづつ回転移動するため、除湿ローター３は暖められている。ここに被除湿空気３２が通過するため、通過後の暖められた乾燥空気３３より、熱回収熱交換器５に熱を回収する。熱回収熱交換器５の内部には凝縮器４で結露水９を排出した後の再生空気が通過し、暖められた分だけ、再生ヒーター３４の電力を節約できる。再生空気は上記のように、閉回路になって、繰り返し使用されている。
【００２５】
次に上記構成の除湿機を、除湿効率が良く、除湿量の割りには製品形状が小さくコンパクトで、重量も軽く、頑丈な製品とした構造について説明する。図２は本発明の除湿機の実施の形態に係る側面断面図で、図３は上面より見た平面断面図、図４は前面より見た正面図で、主要部品の配置を説明するための説明用略図である。
【００２６】
以下、図２〜図４を参照しながら、除湿機の構造を説明する。各構成部品は吸湿剤を担持した除湿ローター３、この除湿ローター３に再生空気３５を送る再生ファン８の取り付け部、再生ヒーター３４、再生ファン送風ダクト構造１のステンレス板金からなるケース６、除湿ローター３を回転させる駆動モーター１８、除湿ファン１５、貯水タンク１２、貯水タンクの着脱時にガイドとなるタンクガイド等一部の構造を除き、大半は樹脂成型品で構成している。凝縮器４、熱回収熱交換器５等も通常なら金属製であるが、樹脂成型品で構成して製品重量の軽減化に努めている。
【００２７】
底板１３には仕切り板１４を立てて、製品構造の基本とし、この仕切り板１４の前方、後方、上方にそれぞれ機能部品を配置して、頑丈でコンパクトな除湿機としている。
【００２８】
仕切り板１４と再生ボックス１７とで除湿ローター３を両側から挟み込み、仕切り板１４の中央部の軸に、除湿ローター３を軸支する。除湿ローター３を回転駆動する駆動モーター１８は再生ボックス１７に取り付けられる。除湿ローター３の外周には歯車を設け、この歯車と噛み合うプーリーで駆動モーター１８のギアで減速された回転軸からの動力で除湿ローターはゆっくりと回転する。
【００２９】
図５に仕切り板１４に、除湿ローター３と、熱回収熱交換器５と、再生ファン８と、内部に再生ヒーター３４を組み込み、ケース６を備えた再生ファン送風ダクト構造１とを、それぞれ固定した状態を本体後部側から見た斜視図を示している。また、図６に凝縮器４を本体後部側から見た斜視図を、図７にその正面図を、図８にＨＨの断面図を、図９にＩＩの断面図を示している。また、図１０に内部に再生ヒーター３４を組み込み、ケース６を備えた再生ファン送風ダクト構造１の除湿ローター３側より見た正面図を、図１１に図１０のＡ−Ａ断面図を示している。
【００３０】
軸支される除湿ローター３に対応する仕切り板１４の部分は空気が流れるように、骨組みのみで残りは開口部分としている。但し、除湿ローター３の再生部３７に再生空気３５を送る再生ファン８の取り付け部を仕切り板１４側に設け、再生ヒーター３４、ステンレス板金のケース６からなる再生ファン送風ダクト構造１を備えている。そして除湿ローター３の再生部３７を通過した再生空気３６を受け、凝縮器に送り込む送風ダクト構造を再生ボックス１７で果たしている。なお仕切り板１４、再生ボックス１７は共に、カルプ入りのポリプロピレン耐熱樹脂成型品である。
【００３１】
閉回路となっている再生空気のサイクルについて説明する。再生ファン８によって再生ファン送風ダクト構造１のケース６の側面にある開口部３９に送り込まれた再生空気は図１０に示すように、矢示Ｂと矢示Ｃの２つに分流し、矢示Ｂ側は遮熱板４０のパンチング穴４５を通過して、矢示Ｃ側は遮熱板４０のパンチング穴４５を通過後、再生ヒーター３４にて加熱されて、それぞれ除湿ローター３の再生部３７に送風される。
【００３２】
除湿ローター３は回転しているから、矢示Ｃの熱風３５で暖められ、余熱の有る処へ、矢示Ｂの再生空気を通過させるものである。なお、再生ヒーター３４は１００Ｖ−２００Ｗのヒーター４３と、１００Ｖ−３００Ｗのヒーター４４とからなり、２００Ｗ、３００Ｗ、５００Ｗと選択して使用できる。
【００３３】
遮熱板４０は段付部４１を持ったパンチング穴４５の開いたステンレス鋼板で、パンチング穴径で送風量を調整する機能と、再生ヒーター３４の遮熱機能及び輻射熱を除湿ローター３側へ反射させる機能とを持ったものである。矢示Ｂ側の遮熱板４０とケース６の間隔Ｄ、矢示Ｃ側の遮熱板４０とケース６の間隔Ｅ、遮熱板４０の段付部４１の長さＦによっても、矢示Ｂと矢示Ｃの分流を調整でき、遮熱板４０のパンチング穴４５の外径を変えた穴を適宜箇所に用いることによって送風分布の均一化を図ることもできる。
【００３４】
除湿ローター３の再生部３７を通過した再生空気３６は再生ボックス１７にて漏斗のように１箇所に集められ、凝縮器４の再生空気取入口４２に送り込まれる。凝縮器４はジフェニルエーテル類、Ｎ−ハロアルキルチオ類、ベンズイミダゾル類、有機砒素類、アルミナシリカ含水金属類の抗菌剤のうちのいずれか１種類又は２種類以上を添加された半透明のポリプロピレン樹脂を用いたブロー成型品からなる２枚の凝縮器４６、４７を重ねて構成されており、再生空気取入口４２、４８、再生空気排出口２９、４９は重ねられるように同じ位置に設けられており、それぞれパッキン５０を介して連結されている。
【００３５】
また図９に示すように、凝縮器４６、４７の略上下方向被凝縮流体通過管５２と各通過管５２の間の空間部５３をそれぞれ左右に平行にずらした位置に配置しているため、凝縮器４６の空間部５３を通過した、被除湿空気３２が次の凝縮器４７では被凝縮流体通過管５２に遭遇し、凝縮効率を高めている。凝縮器４６、４７は弾性を有するコの字状の金属バネ板材５１で結合固定している。凝縮器４６、４７は上部に２箇所の取付穴６３で再生ボックス１７にネジにて固定され、下部の取付穴６４で底板１３にネジにて固定されている。
【００３６】
再生空気取入口４２から取り入れられる再生空気３６は、２枚の凝縮器４６、４７の再生空気取入口４２、４８からそれぞれの上部水平管５４を経て、略上下方向被凝縮流体通過管５２に分流される。上部から下部へ至る間で２本の水平管により再生空気は分流量を調整されて、下部水平管５６にて合流し、再生空気排出口２９、４９にて合体し、熱回収熱交換器５の再生空気取入口３０に送り込まれる。
【００３７】
凝縮器４６、４７の略上下方向被凝縮流体通過管５２等を通過する間に凝縮されて発生した結露水９は凝縮器４６、４７の結露水排出口５７、５８に導かれ結露水排出管５９を経て水受タンク１０に集められ、フロートスイッチが所定水位を感知すると、揚水ポンプ１１にて揚水チューブ２８を通過して最終的に貯水タンク１２に運ばれる。このようにして閉回路の再生用空気から水分を取り出している。
【００３８】
熱回収熱交換器５の再生空気取入口３０に送り込まれた再生空気は図５に示すように、凝縮器４６、４７同様に構成された下部水平管を経て略上下方向被凝縮流体通過管に分流される。途中、水平管で分流量を調整されて、上部水平管にて合流し、熱回収熱交換器５の再生空気排出口３８より再生ファン８に吸い込まれる。モーター６１により駆動される再生ファン８のファンケーシング６０を経て再生ファン送風ダクト構造１のケース６の開口部３９に吹き出される。
【００３９】
熱回収熱交換器５にても、余熱の有る除湿ローター３を通過後の暖められた乾燥空気３３に触れない部分では、一部凝縮し、結露水が発生する。この結露水は熱回収熱交換器５の結露水排出口２に導かれ、結露水排出管５９を経て水受タンク１０に集められる。
【００４０】
除湿ローター３の前方には、凝縮器４を再生ボックス１７に固定し、凝縮器４の前方には、着脱可能なフィルター７、グリル１６を備えた、製品前面の外観部となる、前板１９を設けている。前板１９は底板１３を挟んで後板２０に固定している。
【００４１】
除湿ローター３の湿気を吸収した吸湿剤を再生させるために、再生ヒーター３４で暖められ熱風となった再生空気３５を除湿ローター３に加える。このため除湿ローター３は暖められている。そこへ被除湿空気３２を通過させるため、この空気は除湿ローター３より熱を受け取り暖かくなっている。その熱を回収することなく、そのまま放出するのは勿体ない。そこで除湿ローター３の後方に、熱回収熱交換器５を備え、再生空気に熱を回収し、再生ヒーター３４の電力削減を図っている。
【００４２】
熱回収熱交換器５は除湿ローター３の外径の外側で略四角形の本体のコーナー部にある、凝縮器４の再生空気排出口２９に連結して、凝縮器４と接続し、凝縮後の再生空気を受け取り、除湿ローター３からの熱を一部回収している。凝縮器４からの再生空気は熱回収熱交換器５でも、例えば余熱の有る除湿ローター３を通過後の暖められた乾燥空気３３に触れない部分等では、一部凝縮し、結露水が発生するため、下方に結露水排出口２を設け、この結露水をも前記水受タンク１０に受け、閉回路の再生用空気から水分を取り出している。
【００４３】
凝縮器４、熱回収熱交換器５は共に、半透明のポリプロピレン樹脂を用いたブロー成型品であり、後加工で固定用のネジ穴、凝縮器４の再生空気排出口２９、熱回収熱交換器５の再生空気取入口３０、再生ファン８への再生空気排出口３８、結露水排出口２等をあけている。半透明であるから、凝縮器４や熱回収熱交換器５の内部で再生空気が結露している様子が外部から目視で確認できる。熱回収熱交換器５の内、除湿後の乾燥空気３３があたる部分は除湿ローター３からの熱で結露水が発生せず、乾燥空気３３の空気流の無い部分に結露が見られることから、熱回収の様子が目視できる。
【００４４】
熱回収熱交換器５は先に述べた仕切り板１４、その後側に除湿ローター３の再生部３７に再生空気３５を送る再生ファン８を設置し、熱回収熱交換器５に固定している。再生ファン８は熱回収熱交換器５より再生空気を吸入し、ステンレス板金のケース６からなる再生ファン送風ダクト構造１、再生ヒーター３４を通して、除湿ローター３の再生部３７に加熱された再生空気３５を送風するものであり、熱回収熱交換器５のように除湿ローター３のすぐ後に備える必要はないからである。
【００４５】
なお、再生ファン送風ダクト構造１、再生ヒーター３４は除湿ローター３のすぐ後の仕切り板１４に固定し、再生空気３５を吹きかけられる除湿ローター３の部分が再生部３７となる。
【００４６】
また、熱回収熱交換器５の後に送風機仕切り板２１を設け、仕切り板１４に固定している。送風機仕切り板２１には、除湿ファン１５のモーター２２を固定し、このモーター軸にシロッコファン２３を装着している。送風機仕切り板２１は除湿ファン１５のシロッコファン２３のファンケーシングの一部を構成し、後板２０に構成されているシロッコファン２３（除湿ファン１５）のファンケーシングの一部とで、嵌合させてシロッコファン２３のファンケーシング６５（図４参照）を構成したものであるから、頑丈な構造となる。後板２０の上部にはファンケーシングからの吹出口２４を設け、除湿後の乾燥空気３３の吹き出し口２４としている。
【００４７】
また送風機仕切り板２１に、除湿ファン１５のモータ２２を固定し、シロッコファン２３（除湿ファン１５）のファンケーシングの一部を構成しているため、ファンケーシングに吸い込む空気で、除湿ファン１５のモーター２２を冷却し、さらにこの除湿ファン１５の吸引により、除湿ローター３を回転させるモーター、仕切り板１４の上方の制御回路基盤等からの発熱部品をも冷却させる効果がある。
【００４８】
除湿ファン１５の送風により、室内から被除湿空気３２を吸い込み、グリル１６のフィルター７で粗いゴミを除き、凝縮器４を冷却して、暖かくて、湿気を含んだ再生空気３６を凝縮し、結露水９として水分を取り出すと共に、除湿ローター３の除湿部３１にて被除湿空気３２の水分を吸湿剤に吸収させて乾燥空気３３とし、除湿ローター３で暖められた熱を熱回収熱交換器５にて再生空気に回収し、後板２０の上部にある吹出口２４から乾燥空気３３を室内へ吹き出す。
【００４９】
仕切り板１４、凝縮器４の上方には制御回路基板、操作部、表示部を備えた天板２５を仕切り板１４に上部よりネジ止めして固定し、この天板２５は本体下部の底板１３と共に、後板２０を前板１９にネジ止め固定するときに挟みこみ固定している。
【００５０】
本体を前面から見て、仕切り板１４の右側には、貯水タンク１２を本体上部の天板２５の開口部２６から着脱自在に挿入設置されている。天板２５の開口部２６には蓋２７が開閉自在に設置されていて、閉じたときには、水受タンク１０に設置されている揚水ポンプ１１からの除湿水が貯水タンク１２に流れ込むように、揚水チューブ２８の先端が貯水タンク１２の開閉弁を押す。蓋２７を開けると、揚水チューブ２８の先端が離れるため開閉弁を閉じる。
【００５１】
なお、揚水チューブ２８の先端は蓋２７の構造物でガードされているため、正確には蓋２７が開閉弁を押し、弁を開閉している。また蓋２７の開閉にてＯＮ−ＯＦＦするマイクロスイッチが設置されており、蓋２７が開けられると、揚水ポンプ１１への通電も停止される。また、貯水タンク１２には持ち運びが容易なように、取っ手が設けられている。
【００５２】
天板２５の内部で、仕切り板１４、再生ボックス１７、凝縮器４の上方には制御回路基盤及び操作部６２を天板２５に設け、天板２５の上方から操作でき、制御回路基盤の表示部を見ることができる。また、本体の持ち運びのために、天板２５に取っ手が設けられている。
【００５３】
底板１３には垂直方向に貫通穴を一切設けていない。万一、水受タンク等から、水が漏れることがあっても、本体外部に漏らさないためである。上下方向にネジ止めが必要なときは、ネジ穴を貫通させることなく、袋状のネジ穴とし、水平方向にネジ穴が必要なときには、樹脂成型金型において、スライドコアにて穴をあけている。なお本発明は上記実施の形態に限定されるものではない。
【００５４】
【発明の効果】
本発明に係る除湿機は、仕切り板に回転式除湿材を軸支して、製品構造の基本とし、この仕切り板の前方、後方にそれぞれ機能部品を配置して、コンパクトであり、且つ、回転式除湿材を通過した再生用空気を取り入れて冷却し結露させる凝縮器を備えた構成としたもので、除湿効率の高い除湿機を提供できる。
【００５５】
また、再生用空気加熱部のケース側面に開口部を設け、そのケースの側方に開口部へ再生用空気を送り込むための再生用送風機を配置して開口部に連結し、ケース内で開口部とヒーター収納部との間に空間を設けたので、加熱量の異なる再生用空気を回転式除湿材に送風するようにしても、コンパクトな構成を実現できる。
【００５６】
また、被除湿空気が凝縮器を冷却してから回転式除湿材を通過するように被除湿空気を吸引する除湿用送風機を設けると共に、除湿用送風機により吸引され回転式除湿材の通過で暖められた被除湿空気を用いて回転式除湿材を凝縮器側に通過させる再生用空気を加熱するようにして熱回収する熱交換器を設けたので、再生用空気を加熱する再生用ヒーターの電力を削減できる。
【００５８】
また、除湿用送風機のモーターを固定する送風機固定用板を仕切り板に固定し、送風機固定用板と当該除湿機の本体ケースを構成する板部材とで除湿用送風機のファンケーシングを構成したので、コンパクトな構成とすることができ、モーターを冷却する効果もある。
【図面の簡単な説明】
【図１】本発明実施の形態に係る除湿機の全体構成説明図である。
【図２】本発明の実施の形態に係る除湿機の側面断面図である。
【図３】本発明の実施の形態に係る除湿機の上面より見た平面断面図である。
【図４】本発明の実施の形態に係る除湿機の前面より見た正面図である。
【図５】本発明の実施の形態に係る除湿機の仕切り板への各種部品の固定状態を本体後部側から見た斜視図である。
【図６】本発明の実施の形態に係る除湿機の凝縮器を本体後部側から見た斜視図である。
【図７】本発明の実施の形態に係る除湿機に使用している凝縮器の正面図である。
【図８】本発明の実施の形態に係る図７のＨ−Ｈ断面図である。
【図９】本発明の実施の形態に係る図７のＩ−Ｉの断面図である。
【図１０】本発明の実施の形態に係る除湿機の再生ファン送風ダクト構造の除湿ローター側より見た正面図である。
【図１１】本発明の実施の形態に係る図１０のＡ−Ａ断面図である。
【図１２】従来の除湿ローターを用いた回転式空気除加湿システムを説明する図面である。
【符号の説明】
３  除湿ローター（回転式除湿材）
４  凝縮器（凝縮器４６、４７を重ねたもの）
５  熱回収熱交換器
７  フィルター
１０  水受タンク
１１  揚水ポンプ
１２  貯水タンク
１３  底板
１４  仕切り板
１５  除湿ファン（送風機）
１６  グリル
２０  後板
２２  （除湿ファン（送風機）１５の）モーター
２４  （乾燥空気３３の）吹出口
２５  天板
６２  制御回路基盤及び操作部
６５  （除湿ファン（送風機）１５の）ファンケーシング
【図１】
0003857809.tif 000002
【図２】
0003857809.tif 000003
【図３】
0003857809.tif 000004
【図４】
0003857809.tif 000005
【図５】
0003857809.tif 000006
【図６】
0003857809.tif 000007
【図７】
0003857809.tif 000008
【図８】
0003857809.tif 000009
【図９】
0003857809.tif 000010
【図１０】
0003857809.tif 000011
【図１１】
0003857809.tif 000012
【図１２】
0003857809.tif 000013